(57)【要約】【課題】本発明は、上シート投入時のシート表面の傷つきを効果的に抑止できるシート集積装置の提供。【解決手段】コンベア２００で投入されたシートが集積される集積台２と、投入されたシートを、シートの投入方向に沿って集積台２の下流側において受け止めるバックストッパ４と、シートの投入方向に対して前記集積台の上流側に、バックストッパ４に相対するように設けられたフロントストッパ６と、前記シートの投入方向に沿って集積台２の下流側に設けられ、バックストッパ４で受け止められたシートの投入方向に沿った位置を規制するバックガイド板１とを備えるシート集積装置である。【選択図】図１
2008230716.tif 000002
【特許請求の範囲】
【請求項１】
投入手段によって順次投入されるシートを、所定の集積位置に位置決めし、層状に積層するシート集積装置であって、
前記投入手段で投入されたシートが集積される集積台と、
前記投入されたシートを、前記シートの投入方向に沿って前記集積台の下流側において受け止めるバックストッパと、
前記シートの投入方向に対して前記集積台の上流側に、前記バックストッパに相対するように設けられたフロントストッパと、
前記シートの投入方向に沿って前記集積台の下流側に設けられ、前記バックストッパで受け止められたシートの投入方向に沿った位置を規制するバックガイド部材と
を備えることを特徴とするシート集積装置。
【請求項２】
前記バックガイド部材は、投入されたシートを受け止めるシート接触部と、前記シート接触部の下方に位置し、シート接触部で受け止められたシートの投入方向に沿った位置を規制しつつ集積面に落下させるシート規制部とを備える請求項１に記載のシート集積装置。
【請求項３】
前記バックガイド部材のシート接触部の上縁の高さは、前記投入手段によって投入されるときのシートの高さであるシート投入高さよりも低く設定され、前記シート規制部の上縁の高さは、前記集積台においてシートが投入されるシート集積面の高さよりも高く設定されている請求項２に記載のシート集積装置。
【請求項４】
前記バックガイド部材は、前記バックストッパとは独立して設けられた部材である請求項３に記載のシート集積装置。
【請求項５】
前記バックガイド部材は、前記バックストッパにおけるシートを受け止める側の面上に設けられている請求項３に記載のシート集積装置。
【発明の詳細な説明】
【技術分野】
【０００１】
本発明は、シート集積装置に関する。
【背景技術】
【０００２】
搬送手段から順次投入される平版印刷版を所定の集積位置に位置決めし、層状に集積するシート集積装置として、投入されるシート体の端部に対応して配置され、前記シート体の端部が当接する際に前記シート体の衝撃吸収動作を行う第１緩衝機構と、前記第１緩衝機構に連設され、該第１緩衝機構が集積部側に向かう復帰動作中に前記シート体の衝撃吸収動作を遂行可能な第２緩衝機構とを備えるシート体集積用緩衝装置を備えるものが提案されている（特許文献１）。
【０００３】
また、所謂ＣＴＰ刷版のように表面が傷つき易い平版印刷版を合紙無しで集積する集積装置として、投入手段で投入されたシートが集積される集積台と、投入されたシートを、前記シートの投入方向に沿って前記集積台の下流側に設けられたバックストッパと、前記シートの投入方向に対して前記集積台の上流側に、前記バックストッパに相対するように設けられたフロントストッパと、前記投入手段で投入されたシートを前記集積台の上方で受け止めるシート保持手段とを備え、前記シート保持手段が、前記シートを受け止めた後に前記シートの保持を解除して前記シートを前記集積台上に落下させるシート集積装置が提案された（特許文献２）。
【特許文献１】特開平８−２９０８６０号公報
【特許文献２】特開２００２−３２７７１３号公報
【発明の開示】
【発明が解決しようとする課題】
【０００４】
しかしながら、特許文献１に記載のシート体集積用緩衝装置は、シートが衝突時に集積済みのシート束の端縁から離脱するので、シート束の水平方向の拘束が解け、シート束内でシートが水平方向に沿って動くようになる。したがって、シートの裏面に大きなバリが生じている場合には、新たに投入されたシートの裏面のバリで、集積済みのシートの表面を傷つける可能性があった。
【０００５】
特許文献２に記載のシート集積装置においては、シートをシート保持手段で一旦受け止めてから落下させるから、集積時にシートが受ける衝撃はかなり緩和されると考えられる。
【０００６】
しかしながら、前記シート集積装置においても、投入速度が過大な場合には、投入されたシートがシート保持手段上で完全には停止せず、バックストッパに当たる可能性がある。このような場合、投入されたシートの投入方向の揃えは、バックストッパとフロントストッパとによって行われるから、前記シートの投入方向に沿った位置を完全には規制できない。
【０００７】
本発明は、上記問題を解決すべく成されたものであり、シート投入時のシート表面の傷つきを従来のシート集積装置に比較して更に効果的に抑止できるシート集積装置の提供を目的とする。
【課題を解決するための手段】
【０００８】
請求項１に記載の発明は、投入手段によって順次投入されるシートを、所定の集積位置に位置決めし、層状に積層するシート集積装置であって、前記投入手段で投入されたシートが集積される集積台と、前記投入されたシートを、前記シートの投入方向に沿って前記集積台の下流側において受け止めるバックストッパと、前記シートの投入方向に対して前記集積台の上流側に、前記バックストッパに相対するように設けられたフロントストッパと、前記シートの投入方向に沿って前記集積台の下流側に設けられ、前記バックストッパで受け止められたシートの投入方向に沿った位置を規制するバックガイド部材とを備えることを特徴とする。
【０００９】
請求項１に記載のシート集積装置においても、投入されたシートは先ずバックストッパに当り、バックストッパはシートからの衝撃力によって集積済みシート束の端面から離脱する。しかしながら、前記シートは、バックストッパが集積済みシート束から離脱した状態においても、バックガイド部材とフロントストッパとによって投入方向に沿った位置を規制されるから、水平方向に沿って動くことなく、集積台においてシートが集積される集積面上に集積される。
【００１０】
請求項２に記載の発明は、請求項１に記載のシート集積装置において、投入されたシートを受け止めるシート接触部と、前記シート接触部の下方に位置し、シート接触部で受け止められたシートの投入方向に沿った位置を規制しつつ集積面に落下させるシート規制部とを備えることを特徴とする。
【００１１】
請求項２に記載のシート集積装置においては、投入されたシートは、先ずシート接触部に接触し、次いでシート接触部によってシート規制部に誘導される。そしてシート規制部によって集積面上の所定位置に誘導される。
【００１２】
請求項３に記載の発明は、請求項２に記載のシート集積装置において前記バックガイド部材のシート接触部の上縁の高さが、前記投入手段によって投入されるときのシートの高さであるシート投入高さよりも低く設定され、前記シート規制部の上縁の高さが、前記集積台においてシートが投入されるシート集積面の高さよりも高く設定されていることを特徴とする。
【００１３】
請求項３に記載のシート集積装置においては、バックガイド部材のシート接触部の上縁の高さがシート投入高さよりも低いから、投入されたシートは、シート接触部に当たることなく、バックストッパで受け止められる。また、シート規制部の上縁の高さがシート集積面の高さよりも高いから、投入されたシートは、シート規制部に接触した後にシート集積面上に落下する。
【００１４】
請求項４に記載の発明は、請求項３に記載のシート集積装置において前記バックガイド部材が前記バックストッパとは独立して設けられた部材であることを特徴とする。
【００１５】
請求項４に記載のシート集積装置においては、バックガイド部材は、前記バックストッパとは独立して設けられているから、シートの材質や質量、投入速度、およびバックストッパを集積台に向かって付勢するバネのバネ定数に対応してバックガイド部材の形状などを最適化できる。
【００１６】
請求項５に記載の発明は、請求項３に記載のシート集積装置において、前記バックガイド部材が、前記バックストッパにおけるシートを受け止める側の面上に設けられていることを特徴とする。
【００１７】
請求項５に記載のシート集積装置においては、バックガイド部材とバックストッパとを一体に形成できるから省スペースになる。また、バックストッパの全幅に亘ってバックサイド部材を設けることができるから、投入されたシートをバックストッパの全幅で受け止めて集積面に案内することができる。
【発明の効果】
【００１８】
請求項１によれば、前述のように、投入されたシートを水平方向に沿って殆ど移動させること無く集積できるから、集積面上のシートが新たに投入されたシートによって傷付くことがない故に、ＣＴＰ刷版のように表面が傷つき易い平版印刷版であっても合紙無しで集積できるシート集積装置が提供される。
【００１９】
請求項２の発明によれば、前述のように、投入されたシートは、シート接触部によって受け止められた後にシート規制部に誘導される故に、より集積時のシートの傷付きの少ないシート集積装置が提供される。
【００２０】
請求項３の発明によれば、投入されたシートは、シート接触部に当たることなく、バックストッパで受け止められるから、投入されたシートとシート接触部とが干渉することがない。また、投入されたシートは、シート規制部に接触した後にシート集積面上に落下するから、シートは、シート規制部によって確実に位置決めされてシート集積面上に落下し、シート集積面上におけるシートの落下位置のばらつきを効果的に抑制できる。
【００２１】
請求項４の発明によれば、シートの材質や質量、投入速度、およびバックストッパを集積台に向かって付勢するバネのバネ定数に対応してバックガイド部材の形状などを最適化できるから、集積しようとするシートにより適合したシート集積装置が提供される。
【００２２】
請求項５の発明によれば、より省スペースなシート集積装置が提供される。また、シートをより大きな幅で受け止めることができるから、シートの損傷をより効果的に抑止できる。
【発明を実施するための最良の形態】
【００２３】
１．実施形態１
［構成］
本発明に係るシート集積装置の一例について以下に説明する。
【００２４】
実施形態１に係るシート集積装置１００は、図１に示すように、ベルトコンベア２００で矢印ａの方向に沿って投入された平版印刷版Ｐを前端部で受け止めるバックストッパ４と、平版印刷版Ｐの投入方向ａに対してバックストッパ４の後方に設けられ、バックストッパ４で受け止められた平版印刷版Ｐが集積されるとともに、リフタ２０で昇降可能な集積台２と、集積台２を挟んでバックストッパ４の反対側に位置するフロントストッパ６と、集積台２の投入方向ａに沿った両側縁に沿って設けられ、集積台２に集積された平版印刷版Ｐを両側から保持する１対のサイドストッパ８とを備える。シート集積装置１００には、更に、集積台２を挟んでフロントストッパ６に相対する位置に、本発明のバックガイド部材の一例であるバックガイド板１が、投入方向ａから見てバックストッパ４の左右に設けられている。平版印刷版Ｐは、本発明のシート集積装置で集積されるシートの一例であり、集積台２上に集積済みの平版印刷版束である集積済み平版印刷版束５０の一番上の面、即ち集積面５１に積層される。
【００２５】
図１に示すように、フロントストッパ６には、水平方向に開口する複数のスリット状のノズル孔７が全幅に亘って設けられている。ノズル孔７からは、図２に示すように、ベルトコンベア２００によって投入される平版印刷版Ｐに向って斜め上方に空気流が吹きつけられる。
【００２６】
また、投入方向ａに対してバックストッパ４の下流側には、バックストッパ４を集積台２およびその上に集積された集積済み平版印刷版束５０に対して進退可能に支持するショックアブソーバ１０が設けられている。ショックアブソーバ１０は、投入方向ａに沿って設けられ、ベルトコンベア２００などに対して固定されているシリンダ１１と、集積台２に対して進退可能に、しかもシリンダ１１からバックストッパ４に向かって延びるロッド１２とを備える。バックストッパ４は裏面においてロッド１２の先端に固定されている。バックストッパ４とシリンダ１１との間にはバネ１４が嵌挿されている。
【００２７】
バックガイド板１は、図２に示すように、集積台２および集積済み平版印刷版束５０に相対するシート規制部１Ａと、シート規制部１Ａに対して上方に連続するシート接触部１Ｂとを備える。
【００２８】
シート規制部１Ａは、ほぼ垂直面に沿って形成され、シート接触部１Ｂは、シート規制部１Ａとの境界部を境として投入方向ａに沿って下流に向かって屈曲している。シート接触部１Ｂの上端部は、下端部に比較して投入方向ａに沿って下流に向かって更に深く屈曲している。
【００２９】
バックガイド板１は、図２において（Ａ）に示すように、シート接触部１Ｂの上縁即ちバックガイド板１の上縁の高さＤ１が、バックストッパ４に向かって投入するときの平版印刷版Ｐの高さである投入高さＤよりも低く、シート規制部１Ａの上縁の高さＤ２、換言すればシート規制部１Ａからシート接触部１Ｂに移行する部分の高さが集積面５１の高さよりも低くなるように形勢されている。
【００３０】
また、図２において（Ｂ）に示すように、バックガイド板１の投入方向ａに沿った寸法Ａは、バックストッパ４のストロークＢの長さよりも大きく設定されている。
【００３１】
［作用］
以下、シート集積装置１００の作用について以下に説明する。
【００３２】
先ず、リフタ２０によって集積台２を上昇させる。
【００３３】
集積台２が所定の高さまで上昇したら、ベルトコンベア２００は平版印刷版Ｐを投入する。投入された平版印刷版Ｐは、図２において（Ａ）に示すように、フロントストッパ６のノズル孔７から噴出される空気流で末端部および中央部が持ち上げられた状態で、バックストッパ４に向かって飛行する。
【００３４】
ここで、前述のように、バックガイド板１のシート接触部１Ｂの上縁の高さは平版印刷版Ｐの投入高さよりも低いから、投入された平版印刷版Ｐは、バックガイド板１に干渉することなく、バックストッパ４で受け止められる。
【００３５】
平版印刷版Ｐの前縁部がバックストッパ４で受け止められると、図２において（Ｂ）に示すように、バックストッパ４は平版印刷版Ｐからの衝撃で投入方向ａに沿って下流側にストロークし、集積済み平版印刷版束５０の端面から離脱する。しかしながら、バックガイド板１のシート規制部１Ａの上縁の高さは集積面５１よりも高いから、集積済み平版印刷版束５０の端面は、バックガイド板１におけるシート規制部１Ａによって規定される。
【００３６】
一方、バックストッパ４で受け止められた平版印刷版Ｐは、バックストッパ４が離脱した後、シート接触部１Ｂに向かって落下する。ここで、シート接触部１Ｂは、投入方向ａに沿って斜め上方に傾斜しているが、見方をかえればシート規制部１Ａに向かって斜め下方に傾斜している。したがって、バックストッパ４は、投入方向ａに沿って下流側にストロークした後、バネ１４の作用によって元の位置に復帰しようとするが、平版印刷版Ｐは、バックストッパ４によって上流側に向かって押圧されるよりも先に、前縁部がバックガイド板１のシート接触部１Ｂに当接し、シート規制部１Ａに向かって誘導される。そして、図２において（Ｃ）に示すようにシート規制部１Ａに沿って集積面５１上に落下し、集積される。
【００３７】
このように、シート集積装置１００を用いることにより、集積面５１を形成する平版印刷版Ｐと新たに投入される平版印刷版Ｐとの間の投入方向ａに沿った方向の動きを殆ど無くした状態で平版印刷版Ｐを集積できるから、ＣＴＰ刷版のように製版層が傷つき易い平版印刷版であっても合紙無しで集積できる。
【００３８】
２．実施形態２
［構成］
本発明に係るシート集積装置の別の例について以下に説明する。
【００３９】
図３に示すように、実施形態２に係るシート集積装置１０２においては、実施形態１に係るシート集積装置とは異なり、バックストッパ４の左右にはバックガイド板は設けられていない。その代わり、バックストッパ４の平版印刷版Ｐを受ける側、即ちフロントストッパ６に相対する側の面上にバックガイド板３が装着されている。バックガイド板３は、バックストッパ４の前記面の全幅に亘って形成されている。バックガイド板３もまた、本発明におけるバックガイド部材に対応する。
【００４０】
バックガイド板３は、図４および図５に示すように、集積台２および集積済み平版印刷版束５０に相対するシート規制部３Ａと、シート規制部３Ａの上縁から上方に連続しているとともに、投入方向ａに沿って斜め上方に屈曲しているシート接触部３Ｂとを備える。
【００４１】
図５に示すように、シート規制部３Ａは、ほぼ垂直面に沿って形成され、シート接触部３Ｂは、シート規制部３Ａとの境界部を境として投入方向ａに沿って下流に向かって屈曲している。そして、バックガイド板３は、シート接触部３Ｂの上縁即ちバックガイド板３がバックストッパ４の表面から立ち上がる部分の高さＤ１が、バックストッパ４に向かって投入するときの平版印刷版Ｐの高さである投入高さＤよりも低く、シート規制部３Ａの上縁の高さＤ２、換言すればシート規制部３Ａが屈曲してシート接触部３Ｂに移行する部分の高さが集積面５１の高さよりも低くなるように形成されている。
【００４２】
実施形態２に係るシート集積装置１０２は、これらの点を除いては実施形態１に係るシート集積装置と同一の構成を有している。
【００４３】
［作用］
以下、集積装置１０２の作用について以下に説明する。
【００４４】
先ず、リフタ２０によって集積台２を上昇させる。
【００４５】
集積台２が所定の高さまで上昇したら、ベルトコンベア２００は平版印刷版Ｐを投入する。投入された平版印刷版Ｐは、図６において（Ａ）に示すように、フロントストッパ６のノズル孔７から噴出される空気流で末端部および中央部が持ち上げられた状態で、バックストッパ４に向かって飛行する。このとき、バックストッパ４は、バネ１４からの付勢力によって集積台２および集積済み平版印刷版束５０に向かって押圧された状態にあるから、バックガイド板３は、シート接触部３Ｂおよびシート規制部３Ａも含めてバックストッパ４の表面に密着した状態にある。
【００４６】
平版印刷版Ｐの前縁部がバックストッパ４で受け止められると、図６において（Ｂ）および（Ｃ）に示すように、バックストッパ４は平版印刷版Ｐからの衝撃で投入方向ａに沿って下流側にストロークし、集積済み平版印刷版束５０の端面から離脱する。しかしながら、バックガイド板３においては、シート接触部３Ｂの付勢力によってシート規制部３Ａは集積済み平版印刷版束５０の端面に密着した状態を保持する。一方、バックストッパ４は、平版印刷版Ｐが衝突して後退した後、バネ１４の付勢力によって平版印刷版Ｐを平版印刷版束５０の上方に向かって押圧する。したがって、平版印刷版Ｐは、バックストッパ４に当接したあと、バックガイド板３のシート接触部３Ｂに向かって落下する。ここで、シート接触部３Ｂは、投入方向ａに沿って斜め上方に傾斜しているが、見方をかえればシート規制部３Ａに向かって斜め下方に傾斜している。したがって、平版印刷版Ｐは、前縁部がバックガイド板３のシート接触部３Ｂに当接し、シート規制部３Ａに向かって誘導される。そして、図６において（Ｄ）に示すようにシート規制部３Ａに沿って集積面５１上に落下し、集積される。
【００４７】
このように、シート集積装置１０２においても、シート集積装置１００と同様に集積面５１を形成する平版印刷版Ｐと新たに投入される平版印刷版Ｐとの間の投入方向ａに沿った方向の動きを殆ど無くした状態で平版印刷版Ｐを集積できるから、ＣＴＰ刷版のように製版層が傷つき易い平版印刷版であっても合紙無しで集積できる。
【産業上の利用可能性】
【００４８】
本発明は、感光型、感熱型、およびレーザ露光型の平版印刷版の集積のほか、アルミニウムシートやステンレス鋼シート、普通鋼シート、高張力鋼板シートなどの金属シート、塗装鉄板、各種プラスチックシート、および紙類の集積に使用できる。
【図面の簡単な説明】
【００４９】
【図１】図１は、実施形態１に係るシート集積装置の全体的な構成を示す斜視図である。
【図２】図２は、実施形態１に係るシート集積装置におけるバックストッパおよびバックガイド板の近傍の構成の詳細、およびバックガイド板の作用を示す説明図である。
【図３】図３は、実施形態２に係るシート集積装置の全体的な構成を示す斜視図である。
【図４】図４は、実施形態２に係るシート集積装置におけるバックストッパおよびバックガイド板の構成を示す斜視図である。
【図５】図５は、実施形態２に係るシート集積装置におけるバックストッパおよびバックガイド板の構成を示す側面図である。
【図６】図６は、実施形態２に係るシート集積装置におけるバックストッパおよびバックガイド板の作用を示す説明図である。
【符号の説明】
【００５０】
１      バックガイド板
１Ａ    シート規制部
１Ｂ    シート接触部
２      集積台
３      バックガイド板
３Ａ    シート規制部
３Ｂ    シート接触部
４      バックストッパ
６      フロントストッパ
７      ノズル孔
８      サイドストッパ
１０      ショックアブソーバ
１１      シリンダ
１２      ロッド
１４      バネ
２０      リフタ
５０      平版印刷版束
５１      集積面
１００      シート集積装置
１０２      シート集積装置
２００      ベルトコンベア
【図１】
2008230716.tif 000003
【図２】
2008230716.tif 000004
【図３】
2008230716.tif 000005
【図４】
2008230716.tif 000006
【図５】
2008230716.tif 000007
【図６】
2008230716.tif 000008